(57)【要約】【課題】  ハンドル操作がし易くなる電気掃除機を提供することにある。【解決手段】  塵埃を吸い込む吸込開口を有する吸込室を設けた吸込口体と、掃除機本体３０と、この掃除機本体３０に取り付けられるとともにこの掃除機本体の後側に収納可能となっているハンドルとを備え、掃除機本体３０には、電動送風機と、前記吸込室に連通されるとともに前記電動送風機により塵埃を吸引する吸込接続口３７と、この吸引した塵埃と空気とを慣性力により分離する塵埃分離手段６０と、この塵埃分離手段６０で分離された塵埃を集塵する集塵部４７と、吸込接続口３７に吸い込まれた塵埃を塵埃分離手段６０へ案内する連通管３８とが設けられ、塵埃分離手段６０の中心線Ｒ２に対して連通管３８を斜めに設けた。【選択図】  図１
2005118390.tif 000002
【特許請求の範囲】
【請求項１】
塵埃を吸い込む吸込開口を有する吸込室を設けた吸込口体と、掃除機本体と、この掃除機本体に取り付けられるとともにこの掃除機本体の後側に収納可能となっているハンドルとを備え、
前記掃除機本体には、電動送風機と、前記吸込室に連通されるとともに前記電動送風機により塵埃を吸引する吸込接続口と、この吸引した塵埃と空気とを慣性力により分離する塵埃分離手段と、この塵埃分離手段で分離された塵埃を集塵する集塵部と、前記吸込接続口に吸い込まれた塵埃を塵埃分離手段へ案内する連通風路とが設けられた電気掃除機であって、
前記塵埃分離手段の中心線に対して前記連通風路を斜めに設けたことを特徴とする電気掃除機。
【請求項２】
前記塵埃分離手段の後端開口の中心と、前記連通風路の中心線とが略一致することを特徴とする請求項１に記載の電気掃除機。
【発明の詳細な説明】
【技術分野】
【０００１】
この発明は、吸込口体に掃除機本体を取り付けたいわゆるアップライト式の電気掃除機に関する。
【背景技術】
【０００２】
従来から、図１０および図１１に示すアップライト式の電気掃除機１が知られている（特許文献１参照）。
【０００３】
かかる電気掃除機１は、吸込口体２と、この吸込口体２を下端に接続するとともに上下方向に延びたパイプ３と、このパイプ３に設けた掃除機本体４と、この掃除機本体４の上部に取り付けたハンドル５とを備えている。パイプ３は吸込口体２の中心線Ｌ１上（図１１において）に沿って延びており、ハンドル５は掃除機本体４の中心線Ｌ２上に沿って延びている。
【０００４】
掃除機本体４には、電動送風機６と、集塵部７と、この集塵部７内に配置した集塵袋８等とが設けられている。また、掃除機本体４には集塵部７に連通した吸気口９が形成され、この吸気口９にはホース１０の一端が接続されている。ホース１０の他端はパイプ３の上部に接続されている。
【０００５】
そして、電動送風機６が駆動されると集塵部７が負圧となり、この負圧がホース１０およびパイプ３を介して吸込口体２の吸込室(図示せず)に作用し、吸込室の吸込開口(図示せず)から塵埃が空気とともに吸い込まれていき、この塵埃および空気はパイプ３およびホース１０を介して集塵部７の集塵袋８に集塵されていく。
【特許文献１】特開平１０−４３０９５号公報
【発明の開示】
【発明が解決しようとする課題】
【０００６】
しかしながら、このような電気掃除機にあっては、吸気口９を掃除機本体４の中心線Ｌ２上に設けているので、ホース１０にパイプ３が干渉しないようにするためにその中心線Ｌ２からずらした位置にパイプ３を設けなければならない。このため、ハンドル５の軸線位置（Ｌ２）上から吸込口体２の中心線Ｌ１がずれてしまい、ハンドル５に対して吸込口体２が片寄ってしまう。このため、ハンドル操作がしずらくなるという問題があった。
【０００７】
この発明の目的は、ハンドル操作がし易くなる電気掃除機を提供することにある。
【課題を解決するための手段】
【０００８】
請求項１の発明は、塵埃を吸い込む吸込開口を有する吸込室を設けた吸込口体と、掃除機本体と、この掃除機本体に取り付けられるとともにこの掃除機本体の後側に収納可能となっているハンドルとを備え、
前記掃除機本体には、電動送風機と、前記吸込室に連通されるとともに前記電動送風機により塵埃を吸引する吸込接続口と、この吸引した塵埃と空気とを慣性力により分離する塵埃分離手段と、この塵埃分離手段で分離された塵埃を集塵する集塵部と、前記吸込接続口に吸い込まれた塵埃を塵埃分離手段へ案内する連通風路とが設けられた電気掃除機であって、
前記塵埃分離手段の中心線に対して前記連通風路を斜めに設けたことを特徴とする。
【発明の効果】
【０００９】
この発明によれば、塵埃分離手段の前端開口の中心線に対して連通風路を斜めに設けたものであるから、ハンドルを吸込口体の中心線上に位置させることができ、ハンドル操作がし易くなる。
【発明を実施するための最良の形態】
【００１０】
以下、この発明に係るアップライト式の電気掃除機の実施の形態を図面に基づいて説明する。
【実施例】
【００１１】
図１および図２に示すアップライト式の電気掃除機２０は、吸込口体２１と、この吸込口体２１の後側に設けた連結管部２２に取り付けた掃除機本体３０と、この掃除機本体３０の後側に取り付けた収納パイプ２４と、この収納パイプ２４に収納可能に接続された操作パイプ（ハンドル）２５等とを備えている。
【００１２】
吸込口体２１には、底面に塵埃を吸い込む吸込開口(図示せず)を有する吸込室(図示せず)が設けられている。連結管部２２は、吸込口体２１に対して前後方向に回動可能となっているとともに吸込室に連通している。そして、図１に示すように吸込口体２１の中心線（この中心線に対して吸込口体２１の左右の長さが一致する線）と掃除機本体３０の中心線Ｒ１とが一致されている。
【００１３】
収納パイプ２４は、連結管部２２に連通するとともに図１に示す掃除機本体３０の中心線Ｒ１上に位置し、操作パイプ２５も図１に示す掃除機本体３０の中心線Ｒ１上に位置している。すなわち、吸込口体２１の中心線と操作パイプ２５の軸線とが図１において一致されている。
【００１４】
操作パイプ２５は、収納パイプ２４に連通するとともに上部に把手部２６を設けている。操作パイプ２５の上端にはホース２７の一端が着脱可能に接続されている。
【００１５】
掃除機本体３０には、図３に示すように、電動送風機３１と、集塵容器４０を着脱可能に収納した収納室３２と、電動送風機３１によって負圧にされる負圧室３３等とが設けられている。収納室３２の前壁部３２Ａの下部には開口３４が形成され、この開口３４を介して負圧室３３と収納室３２とが連通している。
【００１６】
また、収納室３２の上部には図４および図５に示すように吸込開口３６が形成され、掃除機本体３０の上部の後側には、掃除機本体３０の中心線Ｒ１からずれた位置に吸気口（吸込接続口）３７が形成されている。この吸気口３７はホース２７,操作パイプ２５,収納パイプ２４などを介して吸込口体２１の吸込室に連通している。また、吸気口３７と吸込開口３６とが連通管（連通風路）３８によって連通され、連通管３８は後述する塵埃分離部６０の前端開口６２Ａの中心線Ｒ２に対して斜め方向に延びている。つまり、連通管３８は塵埃分離部６０の中心線に対して斜め方向に延びている。
【００１７】
吸気口３７にはホース２７の他端が接続されている。また、掃除機本体３０には、排気口３０Ｈと図示しない蓋とが設けられている。この蓋を取り外すことにより、掃除機本体３０の収納室３２に設けた集塵容器４０を取り出せるようになっている。
【００１８】
集塵容器４０は、図６に示すように、前面が開口されたケース本体４１と、このケース本体４１に着脱自在に装着されたフィルタ枠体５０とを備えている。
【００１９】
ケース本体４１の底面は開口され、この開口に底蓋４４が開閉可能に取り付けられている。また、ケース本体４１内には上下に延びた区画壁４６が設けられており、この区画壁４６とケース本体４１の後壁部４１Ａとの間が塵埃を集塵する集塵部４７となっており、区画壁４６とケース本体４１の前面開口４２との間がフィルタ枠体５０を装着する装着室部４８となっている。また、区画壁４６には格子部４６Ａが設けられており、この格子部４６Ａを介して集塵部４７と装着室部４８とが連通している。格子部４６ＡにはネットフィルタＮが取り付けられている。装着室部４８は収納室３２の開口３４を介して負圧室３３に連通するようになっている。
【００２０】
集塵部４７の上部にはドーム部４９が形成され、このドーム部４９の前面が開口され、この開口４９Ａに慣性力により塵埃を分離する塵埃分離部（塵埃分離手段：慣性分離手段）６０の後端が接合されている。
【００２１】
塵埃分離部６０は、ラッパ状の風路６１を形成するとともに図７ないし図９に示すようにフィルタ枠体５０の上部に取り付けられた管部６２と、この管部６２の後ろに連続形成された円筒部６３とを有している。この管部６２の一端開口（入口開口：前端開口）６２Ａの径は管部６２の後端開口（他端開口）６２Ｂより大きく形成され、その径は前端から後端にいくにしたがって直線的に漸減している。管部６２の軸線と塵埃分離部６０の前端開口６２Ａの中心線Ｒ２とが一致している。管部６２の周壁には複数の開口６４が全周に亘って設けられており、この開口６４にはネットフィルタＦ２が取り付けられている。
【００２２】
円筒部６３の後端はドーム部４９の開口４９Ａに接合されている。そして、円筒部６３の中心６３ａ（円筒部６３の管部６２側の開口の中心）と、連通管３８の中心線（軸線）Ｒ３とが一致されている。
【００２３】
フィルタ枠体５０は、ほぼ長方形に形成された枠部５１と、この枠部５１内の上部に一体形成された取付板部５２とを有し、この取付板部５２の下側が開口５３となっている。この開口５３にはプリーツフィルタ５４が取り付けられている。プリーツフィルタ５４の山部５４Ａおよび谷部５４Ｂが上下に延びており、枠部５１に対してプリーツフィルタ５４は傾斜している。
［動  作］
次に、上記のように構成される電気掃除機２０の動作について説明する。
【００２４】
図示しない電源スイッチをオンにすると、図３に示す電動送風機３１が駆動されて負圧室３３が負圧となり、この負圧が収納室３２の開口３４を介して集塵容器４０の装着室部４８に作用する。この装着室部４８の負圧は塵埃分離部６０の開口６４を介して塵埃分離部６０の風路６１に作用する。
【００２５】
また、装着室部４８の負圧は集塵容器４０の区画壁４６の格子部４６Ａを介してケース本体４１の集塵部４７に作用し、さらにこの負圧が塵埃分離部６０の風路６１に作用する。この負圧が図２に示す連通管３８,ホース２７,操作パイプ２５,収納パイプ２４および連結管部２２を介して吸込口体２１の吸込室に作用し、吸込室の吸込開口から空気とともに塵埃が吸引されていく。
【００２６】
吸込室に吸引された空気および塵埃は連結管部２２,収納パイプ２４,操作パイプ２５,ホース２７,連通管３８を介して塵埃分離部６０の風路６１へ吸引されていく。そして、連通管３８の中心線Ｒ３と塵埃分離部６０の円筒部６３の中心６３ａとが略一致されていることにより、連通管３８から塵埃分離部６０へ向かう空気のほとんどが減速することなく塵埃分離部６０の風路６１へ吸引されていくことになる。風路６１に吸引された空気の一部は塵埃分離部６０の開口６４を介して集塵容器４０の装着室部４８へ吸引されていく。
【００２７】
一方、風路６１に吸引された所定以上の質量のある大きな塵埃は、図３に示すように風路６１にを沿ってドーム部４９へ向かい、さらにこのドーム部４９に案内されて集塵部４７へ導入されていく。すなわち、塵埃分離部６０により空気と塵埃が分離されることになる。
【００２８】
また、風路６１内に沿ってドーム部４９へ向かう空気と細かい塵埃はドーム部４９に案内されて集塵部４７へ導入される。集塵部４７へ導入された空気は、格子部４６ＡのネットフィルタＮ,プリーツフィルタ５４および収納室３２の開口３４を介して負圧室３３へ吸引されていく。すなわち、矢印Ｆ１,Ｆ２に示すように空気は流れていく。そして、集塵部４７には、質量のある大きな塵埃と細かい塵埃とが蓄積されていく。
【００２９】
他方、塵埃分離部６０の開口６４から集塵容器４０の装着室部４８へ吸引された空気は、プリーツフィルタ５４の谷部５４Ｂ等を通って収納室３２の開口３４から負圧室３３へ吸引されていく。すなわち、矢印Ｆ３に示すように空気は流れていく。負圧室３３へ吸引された空気は、電動送風機３１によって吸引されて掃除機本体３０の排気口３０Ｈから排気されていく。
【００３０】
以上説明したように、図１に示すように掃除機本体３０の中心線Ｒ１上に吸込口体２１の中心線と操作パイプ２５の軸線とが一致されているので、操作パイプ２５の把手部２６を握って吸込口体２１を移動させて掃除を行う際のその操作は大変し易く、掃除は行い易いものとなる。
【図面の簡単な説明】
【００３１】
【図１】この発明に係る電気掃除機の外観を示した正面図である。
【図２】図１に示す電気掃除機の外観を示した斜視図である。
【図３】掃除機本体の一部を拡大した部分拡大図である。
【図４】掃除機本体の収納室を示した説明図である。
【図５】掃除機本体の水平拡大断面図である。
【図６】集塵容器を示した側面図である。
【図７】フィルタ枠体を示した斜視図である。
【図８】図７に示すフィルタ枠体の側面図である。
【図９】蓋を外した収納室を示した説明図である。
【図１０】従来の電気掃除機の構成を示した断面図である。
【図１１】従来の電気掃除機の外観を示した正面図である。
【符号の説明】
【００３２】
２０      電気掃除機
３０      掃除機本体
３７      吸気口（吸込接続口）
３８      連通管（連通風路）
４７      集塵部
６０      塵埃分離手段
Ｒ２      中心線
【図１】
2005118390.tif 000003
【図２】
2005118390.tif 000004
【図３】
2005118390.tif 000005
【図４】
2005118390.tif 000006
【図５】
2005118390.tif 000007
【図６】
2005118390.tif 000008
【図７】
2005118390.tif 000009
【図８】
2005118390.tif 000010
【図９】
2005118390.tif 000011
【図１０】
2005118390.tif 000012
【図１１】
2005118390.tif 000013